(57)【要約】【課題】ファンのトラブル時におけるユーザーの利用性を向上させた投写型表示装置を提供する。【解決手段】投写型表示装置５０は、複数の光源１００ａ、１００ｂと、複数の光源１００ａ、１００ｂの各々を制御する光源制御部１０１と、複数の光源１００ａ、１００ｂの各々に対応して設けられ、対応する光源を冷却する複数のファン１０２ａ、１０２ｂと、複数のファン１０２ａ、１０２ｂの各々の状態を診断するファン診断部１０４とを備え、複数の光源１００ａ、１００ｂの点灯中に、ファン診断部１０４によって複数のファン１０２ａ、１０２ｂの一部に異常が検出された場合、光源制御部１０１は、一部のファンに対応する一部の光源を消灯すると共に、残りの光源の点灯を継続する。【選択図】図２
2014002360.tif 000002
【特許請求の範囲】
【請求項１】
投写型表示装置であって、
複数の光源と、
前記複数の光源の各々を制御する光源制御部と、
前記複数の光源の各々に対応して設けられ、対応する光源を冷却する複数のファンと、
前記複数のファンの各々の状態を診断するファン診断部とを備え、
前記複数の光源の点灯中に、前記ファン診断部によって前記複数のファンの一部に異常が検出された場合、前記光源制御部は、前記一部のファンに対応する一部の光源を消灯すると共に、残りの光源の点灯を継続することを特徴とする投写型表示装置。
【請求項２】
前記光源制御部によって前記光源の明るさが調節可能であり、
前記光源の明るさに応じて、該光源に対応するファンの回転数を制御するファン制御部をさらに備え、
前記光源制御部は、前記ファン診断部による前記ファンの診断結果に基づいて、前記ファンに対応する前記光源の明るさを調節することを特徴とする請求項１に記載の投写型表示装置。
【請求項３】
前記ファン診断部によって所定の能力低下状態に陥っているファンが検出された場合に、前記光源制御部は、前記検出されたファンに対応する光源の明るさを低下させることを特徴とする請求項２に記載の投写型表示装置。
【請求項４】
前記ファン診断部によって前記能力低下状態に陥っているファンが検出された場合に、前記光源制御部は、前記検出されたファンに対応する光源の明るさが設定可能な最低値であれば、前記光源を消灯することを特徴とする請求項３に記載の投写型表示装置。
【請求項５】
前記ファンの状態をユーザーに報知するための報知部をさらに備え、
前記ファン診断部は、前記ファンについて、異常であると判断する前の段階で、ユーザーへ警告する警告状態に達しているか否かを判断し、
前記ファン診断部によって前記警告状態のファンが検出された場合に、前記報知部を用いてユーザーへの報知を行うことを特徴とする請求項１に記載の投写型表示装置。
【請求項６】
前記ファン診断部は、前記ファンの回転数に基づいて、前記ファンの異常を検出することを特徴とする請求項１に記載の投写型表示装置。
【請求項７】
前記複数のファンによって当該投写型表示装置へ吸い込まれる吸気空気の温度を検出する温度検出部と、
前記温度検出部により検出された前記吸気温度に基づいて、前記複数のファンの各々の回転数を制御するファン制御部とをさらに備えていることを特徴とする請求項１に記載の投写型表示装置。
【請求項８】
前記光源は、高圧水銀ランプであることを特徴とする請求項１に記載の投写型表示装置。
【請求項９】
前記光源は、固体光源であることを特徴とする請求項１に記載の投写型表示装置。
【請求項１０】
複数の光源と、前記複数の光源の各々に対応して設けられて対応する光源を冷却する複数のファンとを備えた投写型表示装置の制御に用いられるコンピュータを、
前記複数の光源の各々を制御する光源制御部、及び
前記複数のファンの各々の状態を診断するファン診断部として機能させ、
前記複数の光源の点灯中に、前記ファン診断部によって前記複数のファンの一部に異常が検出された場合、前記光源制御部は、前記一部のファンに対応する一部の光源を消灯すると共に、残りの光源の点灯を継続することを特徴とするプログラム。
【発明の詳細な説明】
【技術分野】
【０００１】
本開示は、ファンを用いて光源を冷却する投写型表示装置に関する。
【背景技術】
【０００２】
近年、家庭用から商用までさまざまなシーンで、プロジェクター等の投写型表示装置が使用されている。投写型表示装置では、映像を投写する際に、光源ランプが大量の熱を発生する。そのため、強い冷却効果が得られる冷却ファンを使用する必要がある。
【０００３】
また、例えばアリーナなどの大規模施設用、デジタルシネマ用、又は屋外イベント用などのプロジェクターでは、高輝度を確保できるように、或いはランプ故障時に継続して運用できるように、複数個のランプを搭載しているものが多く、ランプから大量の熱が発生する。そのため、ランプを適切に冷却するため、各ランプにランプ用のファンを設けて、ランプの冷却を行なっている。
【０００４】
しかし、ファンが故障して冷却性能を維持できなくなった場合、セットが高温になり、ランプの熱によって筐体が損傷するなどの問題が発生するおそれがある。冷却ファンの故障を検出して装置の温度上昇を未然に防止する技術として、例えば特許文献１に開示の技術がある。
【０００５】
特許文献１では、冷却ファンに経年劣化を生じた場合でも、装置内部の温度上昇を未然に防止し、光源ランプを確実に保護することを目的としている。この文献に記載の投影装置は、光源ランプ１８と、入力された画像信号に対応した画像を上記光源ランプからの光により投影するマイクロミラー表示素子２８、投影レンズ４５を含む投影系とを備える。さらに、投影装置は、光源ランプ１８を冷却する冷却風を発生する冷却ファン８７と、この冷却ファン８７の累積運転時間を計時し、その計時値が所定値となった時点で光源ランプ１８への通電を停止する制御部８０とを備える。
【先行技術文献】
【特許文献】
【０００６】
【特許文献１】特開２００７−０９３８８０号公報
【発明の概要】
【発明が解決しようとする課題】
【０００７】
本開示は、ファンのトラブル時におけるユーザーの利用性を向上させた投写型表示装置を提供する。
【課題を解決するための手段】
【０００８】
上記課題を解決するために、本開示における投写型表示装置は、複数の光源と、複数の光源の各々を制御する光源制御部と、複数の光源の各々に対応して設けられ、対応する光源を冷却する複数のファンと、複数のファンの各々の状態を診断するファン診断部とを備え、複数の光源の点灯中に、ファン診断部によって複数のファンの一部に異常が検出された場合、光源制御部は、一部のファンに対応する一部の光源を消灯すると共に、残りの光源の点灯を継続する。
【発明の効果】
【０００９】
本開示によれば、ファンのトラブル時におけるユーザーの利用性を向上させた投写型表示装置を提供することができる。
【図面の簡単な説明】
【００１０】
【図１】実施の形態におけるプロジェクターの概略構成図
【図２】実施の形態におけるプロジェクターの動作を示すフローチャート
【図３】実施の形態の変形例１におけるプロジェクターの概略構成図
【図４】実施の形態の変形例１におけるプロジェクターの動作を示すフローチャート
【図５】実施の形態の変形例２におけるプロジェクターの動作を示すフローチャート
【図６】実施の形態の変形例３におけるプロジェクターの動作を示すフローチャート
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者は、当業者が本開示を十分に理解するために添付図面及び以下の説明を提供するものであって、これらによって特許請求の範囲に記載の主題を限定することを意図するものではない。
【００１３】
以下、図１〜２に基づいて、本発明の一例である実施の形態を説明する。
【００１４】
（実施の形態）
図１は、本実施の形態におけるプロジェクター５０の概略構成図である。プロジェクター５０は、投写型表示装置の一例であり、ＤＭＤ（Ｄｉｇｉｔａｌ  Ｍｉｃｒｏｍｉｒｒｏｒ  Ｄｅｖｉｃｅ）を使用したプロジェクターである。
【００１５】
［１．プロジェクターの概略構成］
図１に示すプロジェクター５０は、光源となる第１ランプ１００ａ及び第２ランプ１００ｂと、第１ランプ１００ａ及び第２ランプ１００ｂの点灯／消灯を制御するランプ制御部１０１と、第１ランプ１００ａを冷却する第１ファン１０２ａと、第２ランプ１００ｂを冷却する第２ファン１０２ｂと、第１ファン１０２ａ及び第２ファン１０２ｂを制御するファン制御部１０３とを備える。各ファン１０２ａ、１０２ｂは、各ランプ１００ａ、１００ｂに対応して設けられている。ファン制御部１０３は、第１ファン１０２ａ及び第２ファン１０２ｂの各々の回転数を制御すると共に、第１ファン１０２ａ及び第２ファン１０２ｂの各々の回転数を検出する。また、図１のプロジェクター５０は、入力されたビデオ信号（ＰＣ又はビデオなどから出力される信号）に基づく画像の画質調整を行う映像処理部１０５と、第１ランプ１００ａ及び第２ランプ１００ｂから発せられる光を映像処理部１０５の出力信号に基づき変調して反射するＤＭＤ（Ｄｉｇｉｔａｌ  Ｍｉｒｒｏｒ  Ｄｅｖｉｃｅ）１０６と、外部のスクリーン上にＤＭＤ１０６からの映像を投射するレンズ１０７と、各制御ブロック（ランプ制御部１０１、ファン制御部１０３など）の制御を行うマイコン１０４と、それらを格納する筐体１０８とを備える。
【００１６】
なお、本実施の形態で各ランプ１００ａ、１００ｂに使用される光源は、高圧水銀ランプである。また、各ファン１０２ａ、１０２ｂは、例えばＤＣファンである。
【００１７】
マイコン１０４は、後述するように、ファン制御部１０３からの出力信号に基づいて、第１ファン１０２ａ及び第２ファン１０２ｂの回転制御と、第１ファン１０２ａ及び第２ファン１０２ｂの回転数の検出処理とを実行する。また、マイコン１０４は、第１ファン１０２ａ及び第２ファン１０２ｂの各々の状態を診断する。マイコン１０４は、各ファン１０２ａ、１０２ｂの回転数に基づいて、各ファン１０２ａ、１０２ｂの異常を検出する。
【００１８】
映像処理部１０５は、コントラスト、ブライトネス、及び色温度などの画質のパラメータ調整を行うビデオ回路と、ビデオ信号をＤＭＤ１０６の表示画素数への変換を行うフォーマットコンバーターなどを含む複数の回路により構成される。映像処理部１０５は、ＩＣ（Ｉｎｔｅｇｒａｔｅｄ  Ｃｉｒｃｕｉｔ）により構成されている。
【００１９】
ファン制御部１０３は、第１ファン１０２ａ及び第２ファン１０２ｂの各々の回転制御を行うためのＤ／Ａ変換部と、第１ファン１０２ａ及び第２ファン１０２ｂの各々の回転数を測定するパルスカウンター部とを備えている。Ｄ／Ａ変換部は、第１ファン１０２ａ及び第２ファン１０２ｂの各々を対象として、マイコン１０４により設定されるデジタル値を直流電圧値に変換し、対象のファン（第１ファン１０２ａ又は第２ファン１０２ｂ）に供給する直流電圧を変化させることで、対象のファンの回転数を制御する。また、パルスカウンター部は、第１ファン１０２ａ及び第２ファン１０２ｂの各々を対象として、対象のファンの回転に伴って出力されるパルス信号をカウントして、対象のファンの回転数を測定する。
【００２０】
マイコン１０４は、プログラムを実行するＣＰＵ（Ｃｅｎｔａｌ  Ｐｒｏｃｅｓｓｉｎｇ  Ｕｎｉｔ）と、プログラム及びそのプログラム用のデータと当該機器のユーザー設定値を記録する内蔵メモリーと、各回路などを制御するためのインターフェース部とを備えている。
【００２１】
［２．プロジェクターの動作］
次に、図２に示したフローチャートを用いて、本実施の形態におけるプロジェクター５０の動作について説明する。
【００２２】
プロジェクター５０の電源が投入されると、マイコン１０４は、内蔵メモリーよりプログラムをロードして、プログラムの実行を開始する。これにより、図２に示すフローチャートの処理が開始される。
【００２３】
まず、マイコン１０４は、ファン制御部１０３を介して第１ファン１０２ａの起動電圧、及び第２ファン１０２ｂの起動電圧をそれぞれ設定して、第１ファン１０２ａ及び第２ファン１０２ｂをそれぞれ起動させる（ステップＳ２０１）。これにより、第１ファン１０２ａの回転及び第２ファン１０２ｂの回転が開始される。
【００２４】
次に、マイコン１０４は、ランプ制御部１０１を介して所定の起動電圧を印加して、第１ランプ１００ａ及び第２ランプ１００ｂの点灯を行う（ステップＳ２０２）。
【００２５】
次に、マイコン１０４は、映像処理部１０５を起動して、映像処理部１０５の設定を行う。これにより、映像処理部１０５は、入力されたビデオ信号に基づく画像の画質調整を行うと共に、ビデオ信号をＤＭＤ１０６への出力信号へフォーマット変換を行う。その結果、第１ランプ１００ａ及び第２ランプ１００ｂより発せられる光が、ＤＭＤ１０６にて変調反射され、ＤＭＤ１０６で反射された光がレンズ１０７を経由して外部のスクリーンに到達して、ビデオ信号に基づく映像がスクリーンに表示される（ステップＳ２０３）。
【００２６】
次に、マイコン１０４は、ファン制御部１０３を介して第１ファン１０２ａの回転数と、第２ファン１０２ｂの回転数とをそれぞれ計測する（ステップＳ２０４）。なお、第１ランプ１００ａと第２ランプ１００ｂのうち片方だけが点灯している場合は、マイコン１０４は、点灯中のランプに対応するファンの回転数だけを計測する。
【００２７】
次に、マイコン１０４は、第１ファン１０２ａ及び第２ファン１０２ｂのそれぞれについて、ステップＳ２０４で計測した計測回転数が、予め設定された目標回転数（対応するランプ１００ａ、１００ｂを適切に冷却できる回転数）と比較して目標回転数に達しているかどうか判断し、計測回転数が目標回転数に達していれば、ステップＳ２０４に戻る。（ステップＳ２０５）。
【００２８】
マイコン１０４は、ステップＳ２０５において計測回転数が目標回転数未満であると判断したファン（第１ファン１０２ａまたは第２ファン１０２ｂ）を対象として、現在設定されている設定電圧（第１ファン１０２ａまたは第２ファン１０２ｂの設定電圧）が、その対象のファンに設定可能な最大電圧（最大電圧（例えば定格電圧）＞起動電圧）に達しているかどうかを判断し、設定電圧が設定可能な最大電圧に達していれば、ステップＳ２０８に進む（ステップ２０６）。
【００２９】
一方、マイコン１０４は、ステップＳ２０６において設定電圧が設定可能な最大電圧未満であると判断したファン（第１ファン１０２ａまたは第２ファン１０２ｂ）を対象として、その対象のファンの回転数を上げるために、ファン電圧の昇圧をファン制御部１０３に対して指令して、ステップＳ２０４に戻る（ステップＳ２０７）。ステップＳ２０７の結果、対象のファンに印加されるファン電圧が昇圧されて、対象のファンの回転数が増加する。
【００３０】
マイコン１０４は、ステップＳ２０６において設定電圧が最大電圧に達していると判断したファン（第１ファン１０２ａまたは第２ファン１０２ｂ）を対象として、対象のファンの計測回転数（ステップＳ２０４で計測した回転数）が目標回転数の７０％以下であるかどうか判断する。マイコン１０４は、計測回転数が目標回転数の７０％以下でなければ、対象のファンによって、対応するランプ（第１ランプ１００ａまたは第２ランプ１００ｂ）の冷却が可能と判断して、ステップＳ２０４に戻る（ステップＳ２０８）。
【００３１】
一方、マイコン１０４は、対象のファン（第１ファン１０２ａまたは第２ファン１０２ｂ）の計測回転数が目標回転数の７０％以下であれば、対応するランプの冷却効果が不十分であると判断して（つまり、対象ファンが異常であると判断して）、ステップＳ２０９へ移行する。そして、マイコン１０４は、ステップＳ２０８で異常と判断したファン（第１ファン１０２ａまたは第２ファン１０２ｂ）に対応するランプ（第１ランプ１００ａまたは第２ランプ１００ｂ）の消灯を、ランプ制御部１０１を介して行う（ステップＳ２０９）。
【００３２】
続いて、マイコン１０４は、第１ランプ１００ａと第２ランプ１００ｂの内いずれかひとつでも点灯しているかどうか判断する（ステップＳ２１０）。そして、マイコン１０４は、第１ランプ１００ａと第２ランプ１００ｂの内いずれか１つでも点灯していると判断した場合は、ステップＳ２０４に戻り、映像の出力を継続する。
【００３３】
また、マイコン１０４は、第１ランプ１００ａ及び第２ランプ１００ｂの両方とも消灯していると判断した場合（点灯ランプ無しの場合）のみ、ステップＳ２１１へ進み、映像処理部１０５を停止して、映像の出力を中止する。さらに、マイコン１０４は、ステップＳ２１２へ進み、第１ファン１０２ａ及び第２ファン１０２ｂを停止する。
【００３４】
［３．効果等］
本実施の形態では、複数のランプ１００ａ、１００ｂの点灯中に、マイコン１０４によって複数のファン１０２ａ、１０２ｂの一部に異常が検出された場合、ランプ制御部１０３は、その一部のファンに対応する一部のランプを消灯すると共に、残りのランプの点灯を継続する。
【００３５】
ここで、上記従来の技術は、ファンが故障した場合にランプが高温になることによりランプや機器の破損などを防ぐため、プロジェクターの電源を自動的にオフしていた。従来の方式では、観客への映像映出中やプレゼンテーションなどの大事な場面で、一部のファンに故障が発生した場合、突然映像の出力が停止してしまうという課題があった。
【００３６】
それに対して、本実施の形態によれば、一部のランプ用のファンが故障した場合でも、映像の投写を継続することが可能になる。そして、映像の投写を停止しても良いタイミングになった時点で、電源をオフして、ファンのメンテナンス作業を行なうことが可能となる。また、異常になったファンに対応するランプは消灯する。そのため、ランプやその周辺が高温になって装置が壊れることも無く、信頼性が高く長時間の映像投写を行うことができる。すなわち、本実施の形態によれば、第１ファン１０２ａまたは第２ファン１０２ｂの経年変化などが原因で冷却性能を維持できなくなった場合でも、異常と判断されたファンで冷却されるランプだけを消灯することで、装置内部の温度上昇を防止しつつ、残りのランプの点灯と、対応するファンの運転とを続けることで、映像の投写を続けることができる。
【００３７】
（変形例１）
実施の形態の変形例１について説明する。図３は、本変形例におけるプロジェクター５１の概略構成図である。
【００３８】
プロジェクター５１は、上記実施の形態のプロジェクター５０の構成に加えて、第１ファン１０２ａ及び第２ファン１０２ｂにより吸い込まれる空気の温度を測定する吸気温度センサー１１０と、第１ファン１０２ａ及び第２ファン１０２ｂの異常などをユーザーに報知するための報知部１１１とを備えている。また、本変形例は、吸気温度に基づいて各ファン１０２ａ、１０２ｂの回転数を制御している点が、上記実施の形態とは異なる。また、第１ファン１０２ａ及び第２ファン１０２ｂの何れかに異常があると判断された場合は、報知部１１１を用いてユーザーへの報知が行われる。報知部１１１は、例えばＬＥＤにより構成されている。なお、上記実施形態と同様に、各ファン１０２ａ、１０２ｂにはＤＣファンを使用している。この点は、後述する変形例２、３も同じである。
【００３９】
なお、筐体１０８には、第１ファン１０２ａ及び第２ファン１０２ｂの回転に伴って、空気が流れる空気通路が形成されている。筐体１０８には、空気通路の入口として吸気口が形成され、空気通路の出口として排気口が形成されている。吸気口にはフィルターが取り付けられている。空気通路では、第１ファン１０２ａ及び第２ファン１０２ｂよりも上流に、吸気温度センサー１１０が配置されている。
【００４０】
［プロジェクターの動作］
図４は、本変形例におけるプロジェクター５１の動作を示すフローチャートである。以下に、図４に示したフローチャートを用いて、本変形例におけるプロジェクター５１の動作について説明する。
【００４１】
プロジェクター５１の電源が投入されると、マイコン１０４は、内蔵メモリーからロードしたプログラムの実行を開始する。そして、図２のステップＳ２０１からステップＳ２０３までの処理に対応する処理として、ステップＳ３０１からステップＳ３０３までの処理を行う。ステップＳ３０１からステップＳ３０３までの各ステップでは、図２において対応するステップと同じ処理が行われる。
【００４２】
ステップＳ３０４では、マイコン１０４が、第１ファン１０２ａ及び第２ファン１０２ｂの各々に対して、目標回転数を設定する。マイコン１０４の内蔵メモリーには、ファン１０２ａ、１０２ｂの目標回転数を決めるための決定用データ（例えば、制御テーブル）が予め格納されている。
【００４３】
ここで、点灯中のランプ１００ａ、１００ｂの温度が高くなりすぎると、上述したようにランプ１００ａ、１００ｂの熱によって筐体１０８が損傷するなどの問題が生じるおそれがある。他方、点灯中のランプ１００ａ、１００ｂの温度が低すぎると、ランプ１００ａ、１００ｂの寿命が短くなるおそれがある。従って、ランプ１００ａ、１００ｂは、適正な温度範囲（例えば６８０℃程度）で使用することが望ましい。決定用データでは、筐体１０８に吸い込まれた吸気温度に対してランプ１００ａ、１００ｂの温度が適正な温度になるように、吸気温度の複数の値に目標回転数の複数の値が対応付けられている。決定用データは、例えば実験データなどを用いて予め作成される。
【００４４】
ステップＳ３０４において、マイコン１０４は、吸気温度センサー１１０から吸気温度の計測値を取得し、その計測値に対応する目標回転数の値を決定用データから読み出して、読み出した値を第１ファン１０２ａの目標回転数に設定する。マイコン１０４は、同様に、決定用データから読み出した値を第２ファン１０２ｂの目標回転数に設定する。なお、本変形例では、２つのランプ１００ａ、１００ｂが同じものであり、２つのファン１０２ａ、１０２ｂも同じものであるため、２つのファン１０２ａ、１０２ｂに対して同じ決定用データを使用している。しかし、互いに異なるランプ又はファンを使用する場合は、ファン毎に準備した決定用データを使用してもよい。
【００４５】
次に、マイコン１０４は、ステップＳ２０４と同様に、各ファン１０２ａ、１０２ｂの回転数の計測を行い（ステップＳ３０５）、ステップＳ２０５と同様に、各ファン１０２ａ、１０２ｂについて、ステップＳ３０５で計測した計測回転数が目標回転数未満であるか否かを判断する（ステップＳ３０６）。そして、マイコン１０４は、ステップＳ３０６において計測回転数が目標回転数未満ではあると判断したファンについては、図２のステップＳ２０６以降の処理に対応する処理として、ステップＳ３０９以降の処理を行う。ステップＳ３０９からステップＳ３１５までの各ステップでは、図２において対応するステップと同じ処理が行われる。但し、ステップＳ３１２では、ステップＳ２０９と同じ処理（ランプ消灯）に加えて、報知部１１１により異常を知らせる表示が行われる。
【００４６】
一方、マイコン１０４は、ステップＳ３０６において計測回転数が目標回転数未満ではないと判断したファンについては、ステップＳ３０７へ移行する。そして、マイコン１０４は、ステップＳ３０５で計測した計測回転数が目標回転数を超えているか否かを判断する（ステップＳ３０７）。マイコン１０４は、計測回転数が目標回転数を超えていないと判断したファンについては、ステップＳ３０４に戻る。他方、マイコン１０４は、計測回転数が目標回転数を超えていると判断したファンについては、そのファンの回転数を下げるためにファン電圧の降圧をファン制御部１０３に対して指令して、ステップＳ３０４に戻る（ステップ３０８）。
【００４７】
［効果等］
変形例１では、複数のファンによってプロジェクター５１へ吸い込まれる吸気空気の温度を検出する吸気温度センサー１１０が設けられ、ファン制御部１０３が、吸気温度センサー１１０により検出された吸気温度に基づいて、複数のファン１０２ａ、１０２ｂの各々の回転数を制御する。そして、目標回転数にファン１０２ａ、１０２ｂの回転数が一致しない場合は、ファン電圧を昇圧又は降圧することで、ファン１０２ａ、１０２ｂの回転数が適正化される。そのため、ランプ１００ａ、１００ｂを適正な温度に維持することででき、ランプ１００ａ、１００ｂの長寿命を図ることができる。
【００４８】
（変形例２）
実施の形態の変形例２について説明する。本変形例のプロジェクターは、図３に示す構成要素を備えている。本変形例は、各ランプ１００ａ、１００ｂについて異常であると判断する前にユーザーへの報知を行う点が、上記実施の形態とは異なる。
【００４９】
［プロジェクターの動作］
図５は、本変形例におけるプロジェクターの動作を示すフローチャートである。以下に、図５に示したフローチャートを用いて、本変形例におけるプロジェクターの動作について説明する。
【００５０】
プロジェクターの電源が投入されると、マイコン１０４は、内蔵メモリーからロードしたプログラムの実行を開始する。そして、図２のステップＳ２０１からステップＳ２０７までの処理に対応する処理として、ステップＳ４０１からステップＳ４０７までの処理を行う。ステップＳ４０１からステップＳ４０７までの各ステップでは、図２において対応するステップと同じ処理が行われる。
【００５１】
ステップＳ４０８では、マイコン１０４が、ステップＳ４０６において設定電圧が設定可能な最大電圧未満ではないと判断したファンを対象として、対象のファンの計測回転数（ステップＳ４０４で計測した回転数）が目標回転数の８０％以下であるかどうか判断する。マイコン１０４は、計測回転数が目標回転数の８０％以下でなければ、対象のファンについてユーザーへの警告は不要と判断して、ステップＳ４０４に戻る。
【００５２】
なお、ステップＳ４０８では、目標回転数の８０％を判断の閾値としているが、これに限定されない。この閾値は、ファン１０２ａ、１０２ｂについて、異常と判断する前の段階で、ユーザーに警告する警告状態に達しているか否かを判断するための値であり、異常を判断するための閾値（ステップＳ４１０の閾値）よりも大きい値を使用すればよい。
【００５３】
マイコン１０４は、ステップＳ４０８において計測回転数が目標回転数の８０％以下であると判断したファンを対象として、対象のファンの回転数が低下していること（つまり、対象のファンによるランプの冷却能力が低下していること）をユーザーに報知するために、報知部１１１に警告表示を行わせる（ステップＳ４０９）。報知部１１１は、ファンの異常を報知する場合（後述するステップＳ４１１）とは異なる態様での表示を行う。
【００５４】
ステップＳ４０９の後は、マイコン１０４が、図２のステップＳ２０８以降の処理に対応する処理として、ステップＳ４１０以降の処理を行う。ステップＳ４１０からステップＳ４１４までの各ステップでは、図２において対応するステップと同じ処理が行われる。但し、ステップＳ４１１では、ステップＳ２０９と同じ処理（ランプ消灯）に加えて、報知部１１１により異常を知らせる表示が行われる。
【００５５】
［効果等］
本変形例では、ファン１０２ａ、１０２ｂの状態をユーザーに報知するための報知部１１１が設けられ、マイコン１０４は、各ファン１０２ａ、１０２ｂについて、異常であると判断する前の段階で、ユーザーへ警告する警告状態（計測回転数が目標回転数の８０％以下の状態）に達しているか否かを判断する。そして、マイコン１０４によって警告状態のファンが検出された場合に、報知部１１１を用いてユーザーへの報知を行う。そのため、ファンが異常な状態に達する前に、ユーザーは、ファンに対して修理などの措置を講ずることができる。従って、プロジェクター５１の使用中に突然何れかのランプが消灯される事態を避けることができる。
【００５６】
（変形例３）
実施の形態の変形例３について説明する。本変形例のプロジェクターは、図３に示す構成要素を備えている。本変形例は、ランプ制御部１０１によって各ランプ１００ａ、１００ｂの明るさを調節可能である点が、上記実施の形態とは異なる。
【００５７】
本変形例では、各ランプ１００ａ、１００ｂが、第１の設定（ＬＯＷ）と、第１の設定よりも明るい第２の設定（ＨＩＧＨ）とに切り替え可能である。なお、各ランプ１００ａ、１００ｂは、明るさを３段階以上に調節可能であってもよいし、明るさを連続的に調節可能であってもよい。
【００５８】
また、本変形例では、マイコン１０４の内蔵メモリーに、各ファン１０２ａ、１０２ｂの目標回転数を決めるための決定用データとして、ランプ１００ａ、１００ｂが第１の設定である場合に用いる第１のデータと、ランプ１００ａ、１００ｂが第２の設定である場合に用いる第２のデータとが予め格納されている。第１のデータを用いることで、筐体１０８に吸い込まれた吸気温度に対して、第１の設定に切り替えられたランプ１００ａ、１００ｂの温度が適正な温度になるように目標回転数を決定することができる。また、第２のデータを用いることで、筐体１０８に吸い込まれた吸気温度に対して、第２の設定に切り替えられたランプ１００ａ、１００ｂの温度が適正な温度になるように目標回転数を決定することができる。
【００５９】
［プロジェクターの動作］
図６は、本変形例におけるプロジェクターの動作を示すフローチャートである。以下に、図６に示したフローチャートを用いて、本変形例におけるプロジェクターの動作について説明する。
【００６０】
プロジェクターの電源が投入されると、マイコン１０４は、内蔵メモリーからロードしたプログラムの実行を開始する。そして、図４のステップＳ３０１からステップＳ３１１までの処理に対応する処理として、ステップＳ５０１からステップＳ５１１までの処理を行う。ステップＳ５０１からステップＳ５１１までの各ステップでは、図４において対応するステップと同じ処理が行われる。但し、ステップＳ５０２では、ステップＳ３０２と同じ処理（ランプ点灯）に加えて、各ランプ１００ａ、１００ｂが第２の設定（ＨＩＧＨ）に設定される。
【００６１】
ステップＳ５１２では、マイコン１０４が、ステップＳ５１１において計測回転数が目標回転数の７０％以下であると判断したファンに対応するランプを対象として、対象のランプが第１の設定（ＬＯＷ）に設定されているか否かを判断する。つまり、マイコン１０４は、対象のランプの明るさを低下させることができるか否かを判断する。
【００６２】
マイコン１０４は、ステップＳ５１２において対象のランプが第１の設定に設定されていない場合は、ランプ制御部１０１を介して、対象のランプを第１の設定に切り替える（ステップＳ５１３）。さらに、マイコン１０４は、第１の設定に切り替えたランプに対応するファンを対象として、対象のファンの目標回転数の変更を行う（ステップＳ５１４）。ステップＳ５１４では、マイコン１０４が、決定用データのうち第１のデータから、吸気温度センサー１１０の計測値に対応する目標回転数の値を読み出して、読み出した値を目標回転数に設定する。そして、マイコン１０４は、ファン制御部１０３を介して、目標回転数に設定した値に、対象のファンの回転数を制御する。
【００６３】
一方、マイコン１０４は、ステップＳ５１２において対象のランプが第１の設定である場合（つまり、対象のランプの明るさを低下させることができない場合）は、図４のステップＳ３１２以降の処理に対応する処理として、ステップＳ５１５以降の処理を行う。ステップＳ５１５からステップＳ５１８までの各ステップでは、図４において対応するステップと同じ処理が行われる。
【００６４】
［効果等］
本変形例では、ファン制御部１０３が、ランプ１００ａ、１００ｂの明るさに応じて、そのランプ１００ａ、１００ｂに対応するファン１０２ａ、１０２ｂの回転数を制御する。ランプ１００ａ、１００ｂの明るさを明るくするほど、ランプ１００ａ、１００ｂに対応するファン１０２ａ、１０２ｂの回転数を高くする。そして、ランプ制御部１０１が、マイコン１０４によるファン１０２ａ、１０２ｂの診断結果に基づいて、ファン１０２ａ、１０２ｂに対応するランプ１００ａ、１００ｂの明るさを調節する。具体的に、マイコン１０４によって所定の能力低下状態（計測回転数が目標回転数の７０％以下の状態）に陥っているファンが検出された場合に、ランプ制御部１０１は、検出されたファンに対応するランプの明るさを低下させる。
【００６５】
本変形例によれば、ランプの明るさを低下させるのに伴って、そのランプに対応するファンの目標回転数が下げられる。そのため、一度は目標回転数の７０％以下になったファンは、対応するランプの明るさを低下させることができる限りは、直ちに異常と判断されない。従って、ランプの点灯時間を延ばすことができる。
【００６６】
また、本変形例では、マイコン１０４によって能力低下状態に陥っているファンが検出された場合に、ランプ制御部１０１は、検出されたファンに対応するランプの明るさが設定可能な最低値であれば、ランプを消灯する。そのため、冷却能力が不足したファンに対応するランプの温度上昇を避けることができる。
【００６７】
なお、本変形例では、ランプの明るさを低下させるか否かを判断する閾値が、ファンが異常であるか否かを判断する閾値と同じである。しかし、ランプの明るさを低下させるか否かを判断する閾値は、ファンが異常であるか否かを判断する閾値よりも大きな値（例えば、目標回転数の８０％）としてもよい。この場合、ファンの回転数を事前に下げることができるため、ファンの寿命を延ばすことができる。
【００６８】
（他の実施の形態）
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。
【００６９】
そこで、以下、他の実施の形態を例示する。
【００７０】
上記実施の形態及び変形例（以下、「実施の形態等」という。）では、投写型表示装置として、ＤＭＤを用いたプロジェクターを用いて説明したが、これに限らず液晶プロジェクターにも適用可能である。
【００７１】
また、実施の形態等では、光源として高圧水銀ランプを用いているが、ＬＥＤ等の固体光源又はその他のタイプの光源を使用してもよい。
【００７２】
また、実施の形態等では、ランプの数は２個使用するいわゆる２灯式に適用した場合を説明したが、ランプの数は３個以上であってもよい。
【００７３】
また、実施の形態等では、各ファン１０２ａ、１０２ｂにＤＣファンを使用しているが、一定期間のファン電圧のオン期間を増減することで、ファン回転数を制御するＰＷＭ（Pulse Width Modulation）ファンを使用してもよい。その場合、ステップＳ２０６、ステップＳ３０９、ステップＳ４０６、及びステップＳ５０９では、マイコン１０４が、設定電圧が最大電圧未満であるか否かを判断する代わりに、現在設定されている設定オン比率が設定可能な最大オン比率未満であるか否かを判断する。また、ステップＳ２０７、ステップＳ３１０、ステップＳ４０７、及びステップＳ５１０では、マイコン１０４が、ファン電圧の昇圧をファン制御部１０３に対して指令する代わりに、ファン電圧のオン期間の比率の増加をファン制御部１０３に対して指令する。また、ステップＳ３０８、及びステップＳ５０８では、マイコン１０４が、ファン電圧の降圧をファン制御部１０３に対して指令する代わりに、ファン電圧のオン期間の比率の低減をファン制御部１０３に対して指令する。
【００７４】
また、実施の形態等では、目標回転数の７０％を閾値としてファン１０２ａ、１０２ｂが異常であるか否かを判断しているが、判断の閾値はこれに限定されない。
【００７５】
また、実施の形態等では、ファン１０２ａ、１０２ｂの回転数に基づいてファン１０２ａ、１０２ｂが異常であるか否かを判断しているが、他の情報（例えば、ファン風量）に基づいてファン１０２ａ、１０２ｂが異常であるか否かを判断してもよい。
【００７６】
以上のように、本開示における技術の例示として、実施の形態を説明した。そのために、添付図面及び詳細な説明を提供した。
【００７７】
したがって、添付図面及び詳細な説明に記載された構成要素の中には、課題解決のために必須な構成要素だけでなく、上記技術を例示するために、課題解決のためには必須ではない構成要素も含まれ得る。そのため、それらの必須ではない構成要素が添付図面や詳細な説明に記載されているからといって、直ちに、それらの必須ではない構成要素が必須であるとの認定を受けるべきではない。
【００７８】
また、上述の実施の形態は、本開示における技術を例示するためのものであるから、特許請求の範囲またはその均等な範囲において種々の変更、置き換え、付加、省略などを行うことができる。
【産業上の利用可能性】
【００７９】
本開示は、複数の光源に対応してそれぞれにファンが設けられた投写型表示装置などに適用可能である。
【符号の説明】
【００８０】
５０、５１    プロジェクター（投写型表示装置）
１００ａ  第１ランプ
１００ｂ  第２ランプ
１０１    ランプ制御部
１０２ａ  第１ファン
１０２ｂ  第２ファン
１０３    ファン制御部
１０４    マイコン
１０５    映像処理部
１０６    ＤＭＤ
１０７    レンズ
１０８    筐体
１１０    報知部
１１１    吸気温度センサー
【図１】
2014002360.tif 000003
【図２】
2014002360.tif 000004
【図３】
2014002360.tif 000005
【図４】
2014002360.tif 000006
【図５】
2014002360.tif 000007
【図６】
2014002360.tif 000008